(57)【要約】      （修正有）【課題】パチスロ台のメダル自動補給用金具と背壁の開口部との間の隙間を埋めるワンタッチカバーを提供する。【解決手段】本考案のパチスロ台用ワンタッチカバー８０は、２つの挿入案内部、背壁７０の内部側に当接され遊戯メダル自動補給用金具４０と背壁７０の開口部との隙間を塞ぐ当接壁１００、背壁７０の開口部の下端面を押し入れる溝部を有し、前記挿入案内部の両外壁間距離は、前記開口部の幅より小さく、遊戯メダル自動補給用金具４０の幅より大きく、当接壁１００端の両外壁間距離は前記開口部の幅より大きいことを特徴とする。【選択図】図４
0003205457.tif 000002
【実用新案登録請求の範囲】
【請求項１】
２つの挿入案内部、背壁の内部側に当接され遊戯メダル自動補給用金具と背壁の開口部との隙間を塞ぐ当接壁、背壁の開口部の下端面を押し入れる溝部を有し、前記挿入案内部の両外壁間距離は、前記開口部の幅より小さく、前記遊戯メダル自動補給用金具の幅より大きく、当接壁端の両外壁間距離は前記開口部の幅より大きいことを特徴とするパチスロ台用ワンタッチカバー。
【請求項２】
前記開口部の下端面に当接させる引っ掛け部を有することを特徴とする請求項１に記載のパチスロ台用ワンタッチカバー。
【請求項３】
厚い背壁に対応するためのスリットを更に有することを特徴とする請求項１に記載のパチスロ台用ワンタッチカバー。
【請求項４】
ポリカーボネイト等の合成樹脂の一体成形品であることを特徴とする請求項１に記載のパチスロ台用ワンタッチカバー。
【考案の詳細な説明】
【技術分野】
【０００１】
本考案は、パチスロ台の遊戯メダル自動補給用金具と背壁の開口部との隙間を塞ぐカバーに係り、より詳しくは、ネジ、両面テープ等を使用せずにパチスロ台の遊戯メダル自動補給用金具と背壁の開口部との隙間を塞ぐワンタッチカバーに関する。
【背景技術】
【０００２】
一般的にパチスロ台は、パチンコ台と同様に枠部と、枠部に開閉可能に取付けられ遊戯機器を具備した開閉部と、枠部内に取付けられた機器類とからなる。
【０００３】
通常、パチスロ機においては、遊戯メダル自動補給用金具と背壁の開口部との間に隙間があり、この隙間から異物を混入させて誤作動を引き起こす不正行為が行われることがある。
【０００４】
上記不正行為を防ぐために、パチスロ台の遊戯メダル自動補給用金具と背壁の開口部との間の隙間を塞ぐカバーを開閉部内側からネジや両面テープにより取付けることが行われている。
しかしながら、多くのパチスロ台にカバーを取り付けるために多大な時間を必要とする。
【考案の概要】
【考案が解決しようとする課題】
【０００５】
本考案は、ワンタッチにより取付け可能な、パチスロ台の遊戯メダル自動補給用金具と背壁の開口部との間の隙間を塞ぐカバーを提供することを目的とする。
【課題を解決するための手段】
【０００６】
本考案のパチスロ台用ワンタッチカバーは、２つの挿入案内部、背壁の内部側に当接され遊戯メダル自動補給用金具と背壁の開口部との隙間を塞ぐ当接壁、背壁の開口部の下端面を押し入れる溝部を有し、前記挿入案内部の両外壁間距離は前記開口部の幅より小さく、前記遊戯メダル自動補給用金具の幅より大きく、当接壁端の両外壁間距離は前記開口部の幅より大きいことを特徴とする。
【０００７】
本考案のパチスロ台用ワンタッチカバーは、開口部の下端面に当接させる引っ掛け部を有することを特徴とする。
【０００８】
本考案のパチスロ台用ワンタッチカバーは、厚い背壁に対応するためのスリットを更に有することを特徴とする。
【０００９】
本考案のパチスロ台用ワンタッチカバーは、ポリカーボネイト等の合成樹脂の一体成形品であることを特徴とする。
【考案の効果】
【００１０】
本考案のワンタッチカバーによれば、パチスロ台の遊戯メダル自動補給用金具と背壁の開口部との間の隙間を塞ぐカバーを開閉部内側からネジや両面テープ等を使用せずにワンタッチより取付可能である。
【図面の簡単な説明】
【００１１】
【図１】パチスロ台の内部を示す図である。
【図２】図１のＡ−Ａ断面である。
【図３】本考案の一実施例であるワンタッチカバーの三面図である。
【図４】図２の部分にワンタッチカバーを取り付けた断面図である。
【図５】（ａ）は図３のＣ部の拡大図であり、（ｂ）は図３のＢ−Ｂ断面図である。
【考案を実施するための形態】
【００１２】
以下、図面に基づき説明する。
図１はパチスロ台の内部を示す図である。
【００１３】
図１においては、本考案に関連する構成要件のみを記載し、直接関連しない構成要素は省略してある。
【００１４】
パチスロ台は、枠部１０に取付けられる。
図１は、パチスロ台の開閉部２０を開いた状態を示す。開閉部２０には、表示部、操作部等を含む。
【００１５】
パチスロ台の固定部５０内には、遊戯メダルを溜めるメダルポッパー３０が設置される。メダルポッパー３０には、遊戯メダル自動補給用金具４０を介して遊戯メダルが供給される。
【００１６】
図２に示すように、固定部５０は背壁７０に開口部６０を有し、遊戯メダル自動補給用金具４０は開口部６０を貫通して設置される。
【００１７】
パチスロ台の回転を止めた絵柄の配置が、予め決められた配置に一致すると、予め決められた数の遊戯メダルがメダルポッパー３０から開閉部２０に設けられた開口部を介して排出される。
【００１８】
図１、２に示すように、開口部６０の端面と遊戯メダル自動補給用金具４０との間には隙間が存在する。
【００１９】
この隙間に異物を混入させて誤作動を引き起こす不正行為が行われることがある。
本考案は、開口部６０の端面と遊戯メダル自動補給用金具４０との間の隙間を覆うワンタッチカバー８０に関する。
【００２０】
ワンタッチカバー８０は、ポリカーボネイト等の合成樹脂の一体成形品である。
【００２１】
本考案の一実施例であるワンタッチカバー８０の三面図を図３に示す。（ａ）は正面図であり、（ｂ）は側面図であり、（ｃ）は平面図である。
また、ワンタッチカバー８０を取り付けた断面図を図４に示す。
【００２２】
図３乃至５を参照してワンタッチカバー８０の取り付けを説明する。
【００２３】
ワンタッチカバー８０は２つの挿入案内部９０を有する。
開口部６０の左右の壁に挿入案内部９０を沿わせて挿入し、当接壁１００を背壁７０の内部側に当接させる。
更に、ワンタッチカバー８０を下に押し下げ、背壁７０の開口部６０の下端を溝部１１０に押し入れる。
【００２４】
選択的には、ワンタッチカバー８０の下部中央部に、Ｕ字型切り欠き１５０により舌状部１６０が設け、更に舌状部１６０の中央部には引っ掛け部１２０を設け、開口部６０の下端に溝部１１０を押し入れると、舌状部１６０は湾曲して舌状部１６０の引っ掛け部１２０は、開口部６０の下端に引っかかりワンタッチカバー８０は背壁７０の開口部６０を塞ぎながら、より確実に固定される。
【００２５】
ワンタッチカバー８０の幅Ｗ３は図１に示した開口部６０の幅Ｗ１より狭く、遊戯メダル自動補給用金具４０の幅Ｗ２より広く、ワンタッチカバー８０の幅Ｗ４は開口部６０の幅Ｗ１より広く形成され当接壁１００により隙間は塞がれる。
【００２６】
ワンタッチカバー８０には、さらにスリット１３０を設けても良い。
スリット１３０は、背壁７０の厚みが大きな場合に対応し、溝部１１０とスリット１３０の間部分をニッパーなどにより切断し、溝部１１０の幅を広げるためである。
【００２７】
図３においては、寸法を示さなかったが、ワンタッチカバー８０は長さ２５０ｍｍ以下、幅１００ｍｍ以下、高さ１００ｍｍ以下の大きさであり、小型であるために取り付けが容易である。
【符号の説明】
【００２８】
１０  枠部
２０  開閉部
３０  メダルポッパー
４０  遊戯メダル自動補給用金具
５０  固定部
６０  開口部
７０  背壁
８０  ワンタッチカバー
９０  挿入案内部
１００  当接壁
１１０  溝部
１２０  引っ掛け部
１３０  スリット
１５０  Ｕ字型切り欠き
１６０  舌状部
【図１】
0003205457.tif 000003
【図２】
0003205457.tif 000004
【図３】
0003205457.tif 000005
【図４】
0003205457.tif 000006
【図５】
0003205457.tif 000007